(57)【要約】【課題】視聴者の頭部に装着可能な表示装置の表示領域にＶＲ映像が表示されている場合に、視聴者が注視している注視映像を容易に且つ安価な構成で拡大表示する。【解決手段】拡大表示システムは、視聴者の頭部に装着可能な表示装置と所定の撮影視点で撮影されたＶＲ映像を表示装置に配信する配信サーバとを備え、表示装置は、所定の表示領域に映像を表示する表示部と、仮想空間における撮影視点を中心とする球面状の映像投影面にＶＲ映像を投影し、表示部に、映像投影面に投影された投影映像に含まれる表示領域に対応する映像を表示領域に表示させる表示制御部と、視聴者が表示領域の一部を注視している注視状態であるか否かを判定する状態判定部と、を備え、表示制御部は、状態判定部によって視聴者が注視状態であると判定された場合、表示部に、投影映像に含まれる視聴者が注視している領域に対応する映像を表示領域に所定の拡大率で拡大表示させる。【選択図】図１
2020127133.tif 000002
【特許請求の範囲】
【請求項１】
視聴者の頭部に装着可能な表示装置と、所定の撮影視点で撮影されたＶＲ映像を前記表示装置に配信する配信サーバと、を備えた拡大表示システムであって、
前記表示装置は、
所定の表示領域に映像を表示する表示部と、
仮想空間における前記撮影視点を中心とする球面状の映像投影面に前記ＶＲ映像を投影し、前記表示部を制御して、前記映像投影面に投影された投影映像に含まれる、前記表示領域に対応する表示映像を、前記表示領域に表示させる表示制御部と、
前記視聴者が前記表示領域の一部を注視している注視状態であるか否かを判定する状態判定部と、
を備え、
前記表示制御部は、前記状態判定部によって前記視聴者が前記注視状態であると判定された場合、前記表示部を制御して、前記投影映像に含まれる、前記視聴者が注視している注視領域に対応する注視映像を、前記表示領域に所定の拡大率で拡大表示させる
拡大表示システム。
【請求項２】
前記表示装置は、
前記表示領域の姿勢を検出する姿勢検出部を更に備え、
前記状態判定部は、前記姿勢検出部によって検出された前記姿勢の変化量が所定量未満である状態が、所定の注視時間以上連続している場合、前記視聴者が前記注視状態であると判定する、
請求項１に記載の拡大表示システム。
【請求項３】
前記表示装置は、
前記表示領域における前記視聴者の視点を検出する視点検出部を更に備え、
前記状態判定部は、前記視点検出部によって検出された前記視点の変化量が所定量未満である状態が、所定の注視時間以上連続している場合、前記視聴者が前記注視状態であると判定する、
請求項１に記載の拡大表示システム。
【請求項４】
前記配信サーバは、前記注視時間を示す注視時間情報を前記ＶＲ映像とともに前記表示装置に配信し、
前記状態判定部は、前記注視時間情報が示す前記注視時間を用いる、
請求項２又は３に記載の拡大表示システム。
【請求項５】
前記状態判定部は、前記注視映像が拡大表示された後、更に、前記視聴者が前記注視状態を継続しなくなったか否かを判定し、
前記表示制御部は、前記状態判定部によって、前記視聴者が前記注視状態を継続しなくなったと判定された場合、前記表示部を制御して、前記注視映像の拡大表示を終了し、前記投影映像に含まれる前記表示領域に対応する表示映像を前記表示領域に表示させる、
請求項１から４の何れか一項に記載の拡大表示システム。
【請求項６】
前記拡大率は、定数である、
請求項１から５の何れか一項に記載の拡大表示システム。
【請求項７】
前記拡大率は、前記状態判定部によって前記視聴者が前記注視状態であると判定された時点からの経過時間に応じて変化する関数である、
請求項１から５の何れか一項に記載の拡大表示システム。
【請求項８】
前記表示制御部は、前記注視映像が前記映像投影面における所定の拡大可能領域内に投影された映像でない場合、前記注視映像を拡大表示しない
請求項１から７の何れか一項に記載の拡大表示システム。
【請求項９】
前記表示制御部は、前記視聴者が前記注視状態であるときの前記表示領域における視点に対応する前記映像投影面上の点である注視点が、前記映像投影面における所定の拡大可能領域内に存在しない場合、前記注視映像を拡大表示しない
請求項１から７の何れか一項に記載の拡大表示システム。
【請求項１０】
前記表示制御部は、前記注視映像が前記映像投影面における第一の拡大可能領域内に投影された映像である場合、前記注視映像を第一の拡大率で拡大表示し、前記注視映像が前記映像投影面における前記第一の拡大可能領域と重複しない第二の拡大可能領域内に投影された映像である場合、前記注視映像を第二の拡大率で拡大表示する、
請求項８に記載の拡大表示システム。
【請求項１１】
前記表示制御部は、前記注視点が前記映像投影面における第一の拡大可能領域内に存在する場合、前記注視映像を第一の拡大率で拡大表示し、前記注視点が前記映像投影面における前記第一の拡大可能領域と重複しない第二の拡大可能領域内に存在する場合、前記注視映像を第二の拡大率で拡大表示する、
請求項９に記載の拡大表示システム。
【請求項１２】
前記配信サーバは、前記拡大可能領域を特定するための領域特定情報を前記ＶＲ映像とともに前記表示装置に配信し、
前記表示制御部は、前記領域特定情報によって特定される前記拡大可能領域を用いる、請求項８から１１の何れか一項に記載の拡大表示システム。
【請求項１３】
前記配信サーバは、前記拡大率を示す拡大率情報を前記ＶＲ映像とともに前記表示装置に配信し、
前記表示制御部は、前記拡大率情報が示す前記拡大率を用いる、
請求項１から１２の何れか一項に記載の拡大表示システム。
【請求項１４】
前記表示装置は、
前記注視映像の拡大表示を許可するか否かを設定する設定部を更に備え、
前記表示制御部は、前記設定部によって前記注視映像の拡大表示を許可しないことが設定されている場合、前記注視映像を拡大表示しない、
請求項１から１３の何れか一項に記載の拡大表示システム。
【請求項１５】
視聴者の頭部に装着可能な表示装置であって、
所定の撮影視点で撮影されたＶＲ映像を記憶する記憶部と、
所定の表示領域に映像を表示する表示部と、
仮想空間における前記撮影視点を中心とする球面状の映像投影面に前記ＶＲ映像を投影し、前記表示部を制御して、前記映像投影面に投影された投影映像に含まれる、前記表示領域に対応する表示映像を、前記表示領域に表示させる表示制御部と、
前記視聴者が前記表示領域の一部を注視している注視状態であるか否かを判定する状態判定部と、
を備え、
前記表示制御部は、前記状態判定部によって前記視聴者が前記注視状態であると判定された場合、前記表示部を制御して、前記投影映像に含まれる、前記視聴者が注視している注視領域に対応する注視映像を、前記表示領域に所定の拡大率で拡大表示させる
表示装置。
【発明の詳細な説明】
【技術分野】
【０００１】
本発明は、視聴者の頭部に装着可能な表示装置の表示領域にＶＲ映像を表示する拡大表示システム及び表示装置に関する。
【背景技術】
【０００２】
従来から、特許文献１等に記載のように、所定の撮影視点から３６０度等の広い画角で撮影して得られた所謂ＶＲ映像を、ヘッドマウントディスプレイ（以降、ＨＭＤ）等の、視聴者の頭部に装着可能な表示装置の表示領域に表示する技術が知られている。
【０００３】
具体的には、図７に示すように、前記表示装置は、仮想空間における前記撮影視点を中心とする球面状の映像投影面にＶＲ映像を投影し、前記映像投影面に投影された映像から、前記表示領域の姿勢及び視野角に対応する領域の映像（以降、表示映像）を切り出し、当該切り出した表示映像を前記表示領域に表示する。
【先行技術文献】
【特許文献】
【０００４】
【特許文献１】特開２００６−２８５４８２号公報
【発明の概要】
【発明が解決しようとする課題】
【０００５】
上記従来技術を用いて、例えば図８のセクション（Ａ）に示すように、同じ形状の三つの被写体ＳＢ１〜ＳＢ３を撮影して得られたＶＲ映像を前記表示領域ＶＤＡに表示するとする。この場合、図８のセクション（Ｂ）に示すように、前記表示領域ＶＤＡに表示された表示映像では、撮影視点の近傍に存在する被写体ＳＢ２の映像よりも遠方に存在する被写体ＳＢ１、ＳＢ３の映像が小さくなる。
【０００６】
したがって、撮影視点の遠方に存在する被写体ＳＢ１、ＳＢ３を視聴者に注視させるためには、被写体ＳＢ１、ＳＢ３を拡大表示する操作を視聴者に行わせる必要があった。また、前記表示装置を頭部に装着した視聴者に前記操作を行わせるためには、前記表示装置の側部にハードキーを設けたり、前記表示装置と通信可能なリモコンを設ける等して、操作装置を別途設ける必要があった。
【０００７】
本発明は、上記事情に鑑みてなされた発明であり、視聴者の頭部に装着可能な表示装置の表示領域にＶＲ映像が表示されている場合に、視聴者が注視している映像を別途操作装置を設ける必要なく、容易に拡大表示することができる安価な拡大表示システム及び表示装置を提供することを目的とする。
【課題を解決するための手段】
【０００８】
本発明による拡大表示システムは、視聴者の頭部に装着可能な表示装置と、所定の撮影視点で撮影されたＶＲ映像を前記表示装置に配信する配信サーバと、を備えた拡大表示システムであって、前記表示装置は、所定の表示領域に映像を表示する表示部と、仮想空間における前記撮影視点を中心とする球面状の映像投影面に前記ＶＲ映像を投影し、前記表示部を制御して、前記映像投影面に投影された投影映像に含まれる、前記表示領域に対応する表示映像を、前記表示領域に表示させる表示制御部と、前記視聴者が前記表示領域の一部を注視している注視状態であるか否かを判定する状態判定部と、を備え、前記表示制御部は、前記状態判定部によって前記視聴者が前記注視状態であると判定された場合、前記表示部を制御して、前記投影映像に含まれる、前記視聴者が注視している注視領域に対応する注視映像を、前記表示領域に所定の拡大率で拡大表示させる。
【０００９】
本発明による表示装置は、視聴者の頭部に装着可能な表示装置であって、所定の撮影視点で撮影されたＶＲ映像を記憶する記憶部と、所定の表示領域に映像を表示する表示部と、仮想空間における前記撮影視点を中心とする球面状の映像投影面に前記ＶＲ映像を投影し、前記表示部を制御して、前記映像投影面に投影された投影映像に含まれる、前記表示領域に対応する表示映像を、前記表示領域に表示させる表示制御部と、前記視聴者が前記表示領域の一部を注視している注視状態であるか否かを判定する状態判定部と、を備え、前記表示制御部は、前記状態判定部によって前記視聴者が前記注視状態であると判定された場合、前記表示部を制御して、前記投影映像に含まれる、前記視聴者が注視している注視領域に対応する注視映像を、前記表示領域に所定の拡大率で拡大表示させる。
【００１０】
これらの構成によれば、視聴者の頭部に装着可能な表示装置の表示領域に、映像投影面に投影された投影映像に含まれる、表示領域に対応する表示映像が表示されている場合に、視聴者が表示領域の一部を注視している注視状態であるか否かが判定される。そして、視聴者が注視状態と判定された場合、視聴者が注視している注視領域に対応する注視映像が、視聴者の操作を必要とすることなく、表示領域に所定の拡大率で自動的に拡大表示される。
【００１１】
このため、本構成によれば、視聴者の頭部に装着可能な表示装置に、注視映像を拡大表示する操作を行うための操作装置を別途設ける必要なく、安価に、視聴者が注視している注視映像を表示装置の表示領域に拡大表示することができる。
【００１２】
また、前記表示装置は、前記表示領域の姿勢を検出する姿勢検出部を更に備え、前記状態判定部は、前記姿勢検出部によって検出された前記姿勢の変化量が所定量未満である状態が、所定の注視時間以上連続している場合、前記視聴者が前記注視状態であると判定してもよい。
【００１３】
本構成によれば、視聴者が表示領域の一部を注視することで、姿勢検出部によって検出された表示領域の姿勢の変化量が所定量未満である状態が、所定の注視時間以上連続している場合に、視聴者が注視状態であると適切に判定することができる。
【００１４】
また、前記表示装置は、前記表示領域における前記視聴者の視点を検出する視点検出部を更に備え、前記状態判定部は、前記視点検出部によって検出された前記視点の変化量が所定量未満である状態が、所定の注視時間以上連続している場合、前記視聴者が前記注視状態であると判定してもよい。
【００１５】
本構成によれば、視聴者が表示領域の一部を注視することで、視点検出部によって検出された視聴者の視点の変化量が所定量未満である状態が、所定の注視時間以上連続している場合に、視聴者が注視状態であると適切に判定することができる。
【００１６】
また、前記配信サーバは、前記注視時間を示す注視時間情報を前記ＶＲ映像とともに前記表示装置に配信し、前記状態判定部は、前記注視時間情報が示す前記注視時間を用いてもよい。
【００１７】
本構成によれば、配信サーバからＶＲ映像とともに配信された注視時間情報が示す注視時間を用いて、視聴者が注視状態であるか否かが判定される。したがって、本構成によれば、視聴者が注視状態であるか否かを、配信サーバから配信されるＶＲ映像の内容に応じて個別に判定することができる。
【００１８】
また、前記状態判定部は、前記注視映像が拡大表示された後、更に、前記視聴者が前記注視状態を継続しなくなったか否かを判定し、前記表示制御部は、前記状態判定部によって、前記視聴者が前記注視状態を継続しなくなったと判定された場合、前記表示部を制御して、前記注視映像の拡大表示を終了し、前記投影映像に含まれる前記表示領域に対応する表示映像を前記表示領域に表示させてもよい。
【００１９】
本構成によれば、注視映像が拡大表示された後、状態判定部によって、視聴者が注視状態を継続しなくなったと判定された場合、注視映像の拡大表示が終了し、投影映像に含まれる表示領域に対応する表示映像が表示領域に表示される。
【００２０】
このため、視聴者は、表示領域における注視領域とは異なる位置に視点を移動させる等して、注視領域を注視することを止めるだけで、表示領域に対応する表示映像を容易に表示領域に表示することができる。
【００２１】
また、前記拡大率は、定数であってもよい。
【００２２】
本構成によれば、状態判定部によって視聴者が注視状態であると判定された場合に、注視映像を一定の拡大率で拡大表示することができる。
【００２３】
また、前記拡大率は、前記状態判定部によって前記視聴者が前記注視状態であると判定された時点からの経過時間に応じて変化する関数であってもよい。
【００２４】
本構成によれば、状態判定部によって視聴者が注視状態であると判定された場合に、当該判定がなされた時点からの経過時間に応じて注視映像の大きさを変化させながら拡大表示することができる。
【００２５】
また、前記表示制御部は、前記注視映像が前記映像投影面における所定の拡大可能領域内に投影された映像でない場合、前記注視映像を拡大表示しないようにしてもよい。
【００２６】
本構成によれば、状態判定部によって視聴者が注視状態であると判定された場合に、注視映像が映像投影面における拡大可能領域内に投影された映像でないときは、注視映像を拡大表示することを回避することができる。
【００２７】
また、前記表示制御部は、前記視聴者が前記注視状態であるときの前記表示領域における視点に対応する前記映像投影面上の点である注視点が、前記映像投影面における所定の拡大可能領域内に存在しない場合、前記注視映像を拡大表示しないようにしてもよい。
【００２８】
本構成によれば、状態判定部によって視聴者が注視状態であると判定された場合に、視聴者が注視状態であるときの表示領域における視点に対応する映像投影面上の注視点が、映像投影面における拡大可能領域内に存在しないときは、注視映像を拡大表示することを回避することができる。
【００２９】
また、前記表示制御部は、前記注視映像が前記映像投影面における第一の拡大可能領域内に投影された映像である場合、前記注視映像を第一の拡大率で拡大表示し、前記注視映像が前記映像投影面における前記第一の拡大可能領域と重複しない第二の拡大可能領域内に投影された映像である場合、前記注視映像を第二の拡大率で拡大表示してもよい。
【００３０】
本構成によれば、状態判定部によって視聴者が注視状態であると判定された場合に、映像投影面における注視映像の位置に応じた拡大率で、注視映像を拡大表示することができる。
【００３１】
また、前記表示制御部は、前記注視点が前記映像投影面における第一の拡大可能領域内に存在する場合、前記注視映像を第一の拡大率で拡大表示し、前記注視点が前記映像投影面における前記第一の拡大可能領域と重複しない第二の拡大可能領域内に存在する場合、前記注視映像を第二の拡大率で拡大表示するようにしてもよい。
【００３２】
本構成によれば、状態判定部によって視聴者が注視状態であると判定された場合に、映像投影面における前記注視点の位置に応じた拡大率で、注視映像を拡大表示することができる。
【００３３】
また、前記配信サーバは、前記拡大可能領域を特定するための領域特定情報を前記ＶＲ映像とともに前記表示装置に配信し、前記表示制御部は、前記領域特定情報によって特定される前記拡大可能領域を用いてもよい。
【００３４】
本構成によれば、配信サーバから当該ＶＲ映像とともに配信された領域特定情報によって特定される拡大可能領域内に注視映像又は前記注視点が含まれる場合に注視映像が拡大表示される。一方、当該拡大可能領域内に注視映像又は前記注視点が含まれない場合、注視映像は拡大表示されない。したがって、本構成によれば、注視映像を拡大表示させるか否かを、配信サーバから配信されるＶＲ映像の内容に応じて個別に判定することができる。
【００３５】
また、前記配信サーバは、前記拡大率を示す拡大率情報を前記ＶＲ映像とともに前記表示装置に配信し、前記表示制御部は、前記拡大率情報が示す前記拡大率を用いてもよい。
【００３６】
本構成によれば、配信サーバから当該ＶＲ映像とともに配信された拡大率情報が示す拡大率で注視映像が拡大表示される。したがって、本構成によれば、配信サーバから配信されるＶＲ映像の内容に応じた拡大率で注視映像を拡大表示することができる。
【００３７】
また、前記表示装置は、前記注視映像の拡大表示を許可するか否かを設定する設定部を更に備え、前記表示制御部は、前記設定部によって前記注視映像の拡大表示を許可しないことが設定されている場合、前記注視映像を拡大表示しなくてもよい。
【００３８】
本構成によれば、設定部によって注視映像の拡大表示を許可しないことを設定することで、状態判定部によって視聴者が注視状態であると判定されたときに、注視映像が拡大表示されることを回避することができる。
【発明の効果】
【００３９】
本発明によれば、視聴者の頭部に装着可能な表示装置の表示領域にＶＲ映像が表示されている場合に、視聴者が注視している映像を別途操作装置を設ける必要なく、容易に拡大表示することができる安価な拡大表示システム及び表示装置を提供することができる。
【図面の簡単な説明】
【００４０】
【図１】本発明の一実施形態に係る拡大表示システムの機能構成の一例を示すブロック図である。
【図２】表示制御部によるＶＲ映像の表示制御の一例を示す図である。
【図３】表示制御部による注視映像の拡大表示制御の一例を示す図である。
【図４】表示領域に表示された注視映像及び注視映像を拡大表示した映像の一例を示す図である。
【図５】本発明の一実施形態に係る拡大表示システムの動作の一例を示すフローチャートである。
【図６】拡大可能領域の一例を示す図である。
【図７】従来技術によるＶＲ映像の表示制御の一例を示す図である。
【図８】従来技術によるＶＲ映像の撮影及び表示の一例を示す図である。
【発明を実施するための形態】
【００４１】
以下、本発明の一実施形態に係る拡大表示システムについて図面に基づいて説明する。図１は、本発明の一実施形態に係る拡大表示システム１００の機能構成の一例を示すブロック図である。
【００４２】
（拡大表示システム１００の構成）
図１に示すように、拡大表示システム１００は、配信サーバ１と表示装置２とを備えている。配信サーバ１と表示装置２とは、ＬＡＮやインターネットや放送データ網等の不図示のネットワークを介して通信可能に接続されている。
【００４３】
（配信サーバ１の構成）
配信サーバ１は、所定の撮影視点で撮影されたＶＲ映像を表示装置２に配信する。具体的には、配信サーバ１は、記憶部１１と配信部１２とを備えている。
【００４４】
記憶部１１は、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の記憶装置で構成されている。記憶部１１は、配信する対象のＶＲ映像を示す映像データを記憶する。ＶＲ映像とは、全方位カメラ（３６０度カメラ）等によって、所定の撮影視点から広い画角（例えば３６０度）で撮影して得られた静止画や動画等の映像を示す。以降、ＶＲ映像を示す映像データをＶＲ映像と略記する。
【００４５】
また、記憶部１１は、配信する対象のＶＲ映像と対応付けて、当該ＶＲ映像に関連する配信情報を記憶する。配信情報には、配信するＶＲ映像の識別情報、タイトル及びＵＲＬが含まれる。配信情報には、更に、後述する注視時間情報、拡大率情報及び拡大表示許可情報等が含まれる。
【００４６】
配信部１２は、エンコーダーと前記ネットワークを介して表示装置２との間で通信を行う通信インターフェイス回路とによって構成されている。配信部１２は、記憶部１１に記憶されているＶＲ映像を所定の方式（例：ＭＰＥＧ−４、ＨＬＳ（ＨＴＴＰ  Ｌｉｖｅ  Ｓｔｒｅａｍｉｎｇ）等）で符号化し、当該ＶＲ映像及び記憶部１１において当該ＶＲ映像に対応付けられている配信情報を、前記ネットワークを介して表示装置２に配信する。
【００４７】
ここで、ＶＲ映像及び配信情報を配信するとは、所謂オンデマンド配信とライブ配信の二態様を含む。つまり、オンデマンド配信では、配信部１２は、配信対象のＶＲ映像の表示が許可された表示装置２に、前記ネットワークを介して配信情報を送信する。その後、当該表示装置２において、配信情報に含まれている当該ＶＲ映像のＵＲＬへのアクセスがあった場合に、配信部１２は、当該ＶＲ映像を表示装置２に返信する。
【００４８】
一方、ライブ配信では、配信部１２は、テレビ番組の映像データの放送等と同様、所定時刻になると、配信対象のＶＲ映像及び記憶部１１において当該ＶＲ映像に対応付けられている配信情報を、前記ネットワークに含まれる放送データ網を用いて放送する。
【００４９】
記憶部１１及び配信部１２は、一台のサーバ装置に備えてもよいし、互いに通信可能に接続された複数台のサーバ装置に適宜分散して備えるようにしてもよい。また、配信部１２は、ＶＲ映像を配信する配信部１２と、当該ＶＲ映像に対応付けられた配信情報を配信する配信部１２と、を互いに異なるサーバ装置に分散して備えるようにしてもよい。
【００５０】
（表示装置２の構成）
表示装置２は、ヘッドマウントディスプレイ（以降、ＨＭＤ）等の視聴者の頭部に装着可能な装置によって構成されている。具体的には、表示装置２は、ＣＰＵ、ＲＡＭ及びＲＯＭ等を備えたマイクロコンピューター、前記ネットワークを介して配信サーバ１との間で通信を行う通信インターフェイス回路、符号化された映像を復号化するデコーダー、平面状の表示領域に映像を表示する液晶ディスプレイ等の表示器、及びこれらを収容する筐体を支持し、且つ、視聴者の頭部に装着されるヘッドバンド等を備えている。また、表示装置２は、表示領域の姿勢を検出する角速度（ジャイロ）センサーを備えている。
【００５１】
尚、ＨＭＤは、このような構成に限らず、前記ヘッドバンドが、前記マイクロコンピューター、前記通信インターフェイス回路、前記デコーダー、前記表示器を備えたスマートフォンを脱着可能に支持する構成であってもよい。
【００５２】
表示装置２は、配信サーバ１からＶＲ映像及び当該ＶＲ映像に関連する配信情報を取得し、取得した配信情報に基づき、取得したＶＲ映像を前記表示領域に表示する。具体的には、表示装置２は、図１の実線部に示すように、姿勢検出部９１、表示部２１、取得部２２、表示制御部２３、状態判定部２４及び設定部２５として機能する。
【００５３】
姿勢検出部９１は、定期的に前記表示領域の姿勢を検出する。具体的には、姿勢検出部９１は、前記角速度（ジャイロ）センサーによって構成される。尚、これに限らず、姿勢検出部９１は、前記表示領域に平行な板材に複数配置され、重心移動を検出する圧力センサーによって構成してもよい。または、姿勢検出部９１は、部屋の四隅等に配置され、且つ、赤外線を用いて表示装置２の装着者の頭部の姿勢を検出する赤外線センサーと無線通信を行うことで、前記表示領域の姿勢を検出するものであってもよい。または、姿勢検出部９１は、部屋の四隅等に配置され、且つ、表示装置２の装着者の周囲を撮影するカメラと無線通信を行い、当該カメラによる撮像画像から表示装置２の装着者の頭部の姿勢を画像認識するものであってもよい。
【００５４】
表示部２１は、前記表示器によって構成され、前記マイクロコンピューターによる制御の下、前記表示領域に映像を表示する。
【００５５】
取得部２２は、前記マイクロコンピューター及び前記通信インターフェイス回路によって構成され、配信サーバ１と通信を行うことにより、ＶＲ映像及び当該ＶＲ映像に関連する配信情報を取得する。
【００５６】
具体的には、配信部１２がＶＲ映像及び当該ＶＲ映像に関連する配信情報を上述のオンデマンド配信の態様で配信する場合、取得部２２は、先ず、配信部１２が送信した配信情報を受信する。取得部２２は、当該受信した配信情報を前記マイクロコンピューターが備えるＲＡＭやＲＯＭ等に記憶しておく。その後、視聴者がＶＲ映像の表示操作を行った場合、取得部２２は、ＲＡＭやＲＯＭ等に記憶した配信情報に含まれるＶＲ映像のＵＲＬにアクセスし、配信部１２から返信されたＶＲ映像を取得する。
【００５７】
一方、配信部１２がＶＲ映像及び配信情報を上述のライブ配信の態様で配信する場合、取得部２２は、所定時刻以降に、配信部１２によって前記放送データ網を用いて放送されるＶＲ映像及び当該ＶＲ映像に関連する配信情報を取得する。
【００５８】
表示制御部２３は、前記デコーダー及び前記マイクロコンピューターによって構成され、取得部２２が取得したＶＲ映像を復号化する。図２は、表示制御部２３によるＶＲ映像の表示制御の一例を示す図である。そして、表示制御部２３は、公知のＶＲ映像投影処理を実行することにより、図２に示すように、仮想空間における当該ＶＲ映像の撮影視点ＳＶＰを中心とする球面状の映像投影面ＶＳＰに、復号化したＶＲ映像を投影する。そして、表示制御部２３は、映像投影面ＶＳＰに投影された投影映像から、表示領域ＶＤＡに対応する領域ＶＤＡａに投影された表示映像を切り出す。そして、表示制御部２３は、表示部２１を制御して、当該切り出した表示映像を表示領域ＶＤＡに表示させる。
【００５９】
また、表示装置２を装着した視聴者が頭部の姿勢を変化させたことで、表示領域ＶＤＡの姿勢が変化した場合に、姿勢検出部９１によって表示領域ＶＤＡの変化後の姿勢が検出されたとする。この場合、表示制御部２３は、投影映像から表示映像を切り出す対象の領域を、図２の一点鎖線部に示すように、表示領域ＶＤＡの姿勢の変化に応じて移動させる。そして、表示制御部２３は、姿勢が変化した後の表示領域ＶＤＡに対応する領域に投影された表示映像を切り出し、表示部２１を制御して、当該切り出した表示映像を表示領域ＶＤＡに表示させる。
【００６０】
図１に参照を戻す。状態判定部２４は、前記マイクロコンピューターによって構成され、視聴者が表示領域ＶＤＡの一部を注視している注視状態であるか否かを判定する。
【００６１】
具体的には、状態判定部２４は、取得部２２が取得した配信情報に含まれる注視時間情報を取得する。注視時間情報は、視聴者が表示領域ＶＤＡの一部を視認し始めたときから、視聴者が当該表示領域ＶＤＡの一部を注視する状態になるまでに要すると考えられる時間（以降、注視時間）を示す情報である。そして、状態判定部２４は、姿勢検出部９１によって検出された表示領域ＶＤＡの姿勢の変化量が所定量未満である状態が、前記注視時間情報が示す注視時間以上連続している場合に、視聴者が注視状態であると判定する。
【００６２】
これにより、視聴者が表示領域ＶＤＡの一部を注視することで、姿勢検出部９１によって検出された表示領域ＶＤＡの姿勢の変化量が所定量未満である状態が、所定の注視時間以上連続している場合に、視聴者が注視状態であると適切に判定することができる。また、配信サーバ１からＶＲ映像とともに配信された注視時間情報が示す注視時間を用いて、視聴者が注視状態であるか否かが判定される。したがって、視聴者が注視状態であるか否かを、配信サーバ１から配信されるＶＲ映像の内容に応じて個別に判定することができる。
【００６３】
尚、注視時間情報は、表示装置２が備えるＲＡＭやＲＯＭ等に予め記憶されていてもよい。この場合、状態判定部２４が、配信情報に含まれる注視時間情報を取得せずに、ＲＡＭやＲＯＭ等に予め記憶されている注視時間情報が示す注視時間を用いて、視聴者が注視状態であるか否かを判定するようにしてもよい。
【００６４】
また、状態判定部２４によって視聴者が注視状態であると判定された場合、表示制御部２３は、表示部２１を制御して、前記投影映像に含まれる、視聴者が注視している注視領域に対応する注視映像を、表示領域ＶＤＡに所定の拡大率で拡大表示させる。
【００６５】
図３は、表示制御部２３による注視映像ＦＤの拡大表示制御の一例を示す図である。図４は、表示領域ＶＤＡに表示された注視映像ＦＤ及び注視映像ＦＤを拡大表示した映像ＥＦＤの一例を示す図である。具体的には、表示制御部２３は、先ず、取得部２２が取得した配信情報に含まれる拡大率情報を取得する。拡大率情報は、注視映像ＦＤを表示領域ＶＤＡに拡大表示するときの拡大率を示す情報である。
【００６６】
拡大率は、例えば、定数（例：２）に定められる。この場合、状態判定部２４によって視聴者が注視状態であると判定されたときに、注視映像ＦＤを一定の拡大率で拡大表示することができる。また、拡大率は、例えば、状態判定部２４によって視聴者が注視状態であると判定された時点からの経過時間ｔに応じて変化する関数Ｆ（ｔ）（例：２×ｔ（０秒＜ｔ＜１秒）、２（ｔ＞１秒））に定められてもよい。この場合、状態判定部２４によって視聴者が注視状態であると判定された場合に、当該判定がなされた時点からの経過時間ｔに応じて注視映像ＦＤの大きさを変化させながら拡大表示することができる。
【００６７】
そして、表示制御部２３は、図３及び図４のセクション（Ａ）に示すように、前記仮想空間において、ＶＲ映像が投影された映像投影面ＶＳＰにおける表示領域ＶＤＡに対応する領域ＶＤＡａの中央部ＣＶＤＡを、前記撮影視点ＳＶＰから所定の画角で撮影する仮想カメラＶＣが配置されているものとする。そして、表示制御部２３は、仮想カメラＶＣによって撮影可能な映像投影面ＶＳＰ上の領域ＦＡを、視聴者が注視している注視領域（以降、注視領域ＦＡ）として特定する。
【００６８】
次に、表示制御部２３は、図３のセクション（Ｂ）に示すように、仮想カメラＶＣを、撮影視点ＳＶＰから前記中央部ＣＶＤＡに向かう方向（点線矢印の方向）に、前記拡大率情報が示す拡大率に対応する距離だけ移動させる。尚、表示制御部２３は、例えば、所定係数と拡大率との積を、拡大率に対応する距離として用いる。
【００６９】
そして、表示制御部２３は、図３及び図４のセクション（Ｂ）に示すように、移動後の仮想カメラＶＣによって撮影可能な映像投影面ＶＳＰ上の領域ＥＦＡに投影されている映像を取得する。そして、表示制御部２３は、図４のセクション（Ｄ）に示すように、当該取得した映像を表示領域ＶＤＡの大きさに拡大し、当該拡大した映像ＥＦＤを表示領域ＶＤＡに表示させる。これにより、図４のセクション（Ｃ）に示すように表示領域ＶＤＡに表示されていた注視映像ＦＤが、図４のセクション（Ｄ）に示すように拡大表示される。
【００７０】
上記構成によれば、配信サーバ１から当該ＶＲ映像とともに配信された拡大率情報が示す拡大率で注視映像ＦＤが拡大表示される。したがって、配信サーバ１から配信されるＶＲ映像の内容に応じた拡大率で注視映像ＦＤを拡大表示することができる。
【００７１】
尚、拡大率情報は、表示装置２が備えるＲＡＭやＲＯＭ等に予め記憶されていてもよい。この場合、表示制御部２３が、配信情報に含まれる拡大率情報を取得せずに、ＲＡＭやＲＯＭ等に予め記憶されている拡大率情報が示す拡大率を用いて、注視映像ＦＤを拡大表示するようにしてもよい。
【００７２】
図１に参照を戻す。設定部２５は、前記マイクロコンピューターによって構成され、表示制御部２３による注視映像ＦＤの拡大表示を許可するか否かを設定する。具体的には、取得部２２が取得した配信情報には、注視映像ＦＤの拡大表示を許可するか否かを示す拡大表示許可情報が含まれている。設定部２５は、先ず、取得部２２が取得した配信情報に含まれている拡大表示許可情報を取得する。
【００７３】
尚、拡大表示許可情報は、表示装置２が備えるＲＡＭやＲＯＭ等に予め記憶されていてもよい。この場合、表示制御部２３が、取得部２２が取得した配信情報から拡大表示許可情報を取得せずに、ＲＡＭやＲＯＭ等に予め記憶されている拡大表示許可情報を取得するようにしてもよい。
【００７４】
そして、設定部２５は、取得した拡大表示許可情報が注視映像ＦＤの拡大表示を許可することを示す場合、注視映像ＦＤの拡大表示を許可することを設定する。一方、設定部２５は、取得した拡大表示許可情報が注視映像ＦＤの拡大表示を許可しないことを示す場合、注視映像ＦＤの拡大表示を許可しないことを設定する。具体的には、設定部２５は、注視映像ＦＤの拡大表示を許可することを示すデータ（例えば、「１」）をＲＡＭやＲＯＭ等に記憶することで、注視映像ＦＤの拡大表示を許可することを設定する。これと同様に、設定部２５は、注視映像ＦＤの拡大表示を許可しないことを示すデータ（例えば、「０」）をＲＡＭやＲＯＭ等に記憶することで、注視映像ＦＤの拡大表示を許可しないことを設定する。
【００７５】
（動作フロー）
以下、拡大表示システム１００の動作について説明する。図５は、本発明の一実施形態に係る拡大表示システム１００の動作の一例を示すフローチャートである。
【００７６】
図５に示すように、配信サーバ１において、配信部１２が記憶部１１に記憶されているＶＲ映像及び当該ＶＲ映像に対応付けられている配信情報を前記ネットワークを介して表示装置２に配信したとする（ステップＳ１０）。この場合、表示装置２では、取得部２２が、配信部１２によって配信された、ＶＲ映像に関連する配信情報を取得し（ステップＳ１１）、また、配信部１２によって配信されたＶＲ映像を取得する（ステップＳ１２）。
【００７７】
次に、表示制御部２３は、ステップＳ１２で取得されたＶＲ映像を復号化し（ステップＳ１３）、当該復号化したＶＲ映像を前記映像投影面ＶＳＰ（図２）に投影する（ステップＳ１４）。そして、姿勢検出部９１によって表示領域ＶＤＡの姿勢が検出されると（ステップＳ１５）、表示制御部２３は、ステップＳ１６を行う。
【００７８】
ステップＳ１６において、表示制御部２３は、ステップＳ１４で前記映像投影面ＶＳＰに投影した投影映像から、ステップＳ１５で検出された姿勢の表示領域ＶＤＡに対応する領域ＶＤＡａに投影された表示映像を切り出す。そして、表示制御部２３は、表示部２１を制御して、当該切り出した表示映像を表示領域ＶＤＡに表示させる（ステップＳ１６）。
【００７９】
ステップＳ１６の後、状態判定部２４によって視聴者が注視状態であると判定されたとする（ステップＳ１７でＹＥＳ）。この場合、設定部２５は、上述のように、ステップＳ１１で取得された配信情報又はＲＯＭやＲＡＭ等から拡大表示許可情報を取得し、当該取得した拡大表示許可情報を用いて、表示制御部２３による注視映像ＦＤの拡大表示を許可するか否かを設定する（ステップＳ１８）。
【００８０】
ステップＳ１８において、設定部２５が注視映像ＦＤの拡大表示を許可することを設定したとする（ステップＳ１８でＹＥＳ）。この場合、表示制御部２３は、上述のように、表示部２１を制御して、ステップＳ１４で映像投影面ＶＳＰに投影された投影映像に含まれる、注視領域ＦＡに対応する注視映像ＦＤを所定の拡大率で表示領域ＶＤＡに拡大表示させる（ステップＳ１９）。ステップＳ１９の後は、再びステップＳ１７が行われる。
【００８１】
当該ステップＳ１７において、視聴者が注視状態ではないと判定されたものとする（ステップＳ１７でＮＯ）。又は、ステップＳ１８において、設定部２５が注視映像ＦＤの拡大表示を許可しないことを設定したものとする（ステップＳ１８でＮＯ）。これらの場合に（ステップＳ１７でＮＯ又はステップＳ１８でＮＯ）、ＶＲ映像の視聴を終了する所定の操作が行われると（ステップＳ２０でＹＥＳ）、拡大表示システム１００における図５に示す動作は終了する。一方、ＶＲ映像の視聴を終了する所定の操作が行われなかったときは（ステップＳ２０でＮＯ）、ステップＳ１５以降の処理が行われる。
【００８２】
つまり、状態判定部２４は、ステップＳ１９で注視映像ＦＤが拡大表示された後のステップＳ１７において、視聴者が注視状態を継続しなくなったか否かを判定する。当該ステップＳ１７において、視聴者が注視状態を継続しなくなったと判定され（ステップＳ１７でＮＯ）、ＶＲ映像の視聴を終了する所定の操作が行われなかった場合（ステップＳ２０でＮＯ）、ステップＳ１５以降の処理が行われる。これにより、表示制御部２３は、表示部２１を制御して、注視映像ＦＤの拡大表示を終了し、投影映像に含まれる表示領域ＶＤＡに対応する表示映像を表示領域ＶＤＡに表示させる（ステップＳ１５〜Ｓ１６）。その結果、視聴者は、表示領域ＶＤＡにおける注視領域ＦＡとは異なる位置に視点を移動させる等して、注視領域ＦＡを注視することを止めるだけで、表示領域ＶＤＡに対応する表示映像を容易に表示領域ＶＤＡに表示することができる。
【００８３】
このように、上記実施形態の構成によれば、視聴者の頭部に装着可能な表示装置２の表示領域ＶＤＡに、映像投影面ＶＳＰに投影された投影映像に含まれる、表示領域ＶＤＡに対応する表示映像が表示されている場合に、視聴者が表示領域ＶＤＡの一部を注視している注視状態であるか否かが判定される。そして、視聴者が注視状態と判定された場合、視聴者が注視している注視領域ＦＡに対応する注視映像ＦＤが、視聴者の操作を必要とすることなく、表示領域ＶＤＡに所定の拡大率で自動的に拡大表示される。このため、視聴者の頭部に装着可能な表示装置２に、注視映像ＦＤを拡大表示する操作を行うための操作装置を別途設ける必要なく、安価に、視聴者が注視している注視映像ＦＤを表示装置２の表示領域ＶＤＡに拡大表示することができる。
【００８４】
また、設定部２５によって注視映像ＦＤの拡大表示を許可しないことを設定することで、状態判定部２４によって視聴者が注視状態であると判定されたときに、注視映像ＦＤが拡大表示されることを回避することができる。
【００８５】
（変形実施形態）
尚、上記実施形態は、本発明に係る実施形態の例示に過ぎず、本発明を上記実施形態に限定する趣旨ではない。例えば、以下に示す変形実施形態であってもよい。
【００８６】
（１）表示装置２が、表示領域ＶＤＡにおける視聴者の視点を赤外線等を用いて検出する視線追跡センサーを更に備え、図１の破線部に示すように、更に、視点検出部９２として機能するようにしてもよい。視点検出部９２は、前記視線追跡センサーによって構成され、定期的に前記表示領域ＶＤＡにおける視聴者の視点を検出するものである。
【００８７】
これに合わせて、状態判定部２４が、視点検出部９２によって検出された視点の変化量が所定量未満である状態が、前記注視時間以上連続している場合に、視聴者が注視状態であると判定するようにしてもよい。この場合、視聴者が表示領域ＶＤＡの一部を注視することで、視点検出部９２によって検出された視聴者の視点の変化量が所定量未満である状態が、前記注視時間以上連続している場合に、視聴者が注視状態であると適切に判定することができる。
【００８８】
この場合、表示制御部２３は、注視映像ＦＤを拡大表示するとき、前記中央部ＣＶＤＡに代えて、状態判定部２４が注視状態であると判定したときに視点検出部９２によって検出された視点（以降、注視視点）を用いればよい。つまり、表示制御部２３は、前記仮想空間において、仮想カメラＶＣ（図３）が前記注視視点を前記撮影視点ＳＶＰから所定の画角で撮影するものとして、当該仮想カメラＶＣによって撮影可能な映像投影面ＶＳＰ上の領域を注視領域ＦＡとして特定すればよい。そして、表示制御部２３は、仮想カメラＶＣを、撮影視点ＳＶＰから注視視点に向かう方向に、所定の拡大率に応じた距離だけ移動させることで、当該注視領域ＦＡ内に投影されている注視映像ＦＤを拡大表示すればよい。
【００８９】
（２）図６は、拡大可能領域ＥＰＡ１〜ＥＰＡ３の一例を示す図である。表示制御部２３は、ステップＳ１９（図５）において、図６に示すように、注視映像ＦＤが映像投影面ＶＳＰにおける所定の拡大可能領域ＥＰＡ１〜ＥＰＡ３内に投影された映像ではない場合は、注視映像ＦＤを拡大表示せず、ステップＳ２０以降の処理を行うようにしてもよい。      
【００９０】
本構成によれば、状態判定部２４によって視聴者が注視状態であると判定された場合に、注視映像ＦＤが映像投影面ＶＳＰにおける拡大可能領域ＥＰＡ１〜ＥＰＡ３内に投影された映像でないときは、注視映像ＦＤを拡大表示することを回避することができる。
【００９１】
又は、表示制御部２３は、ＶＲ映像が投影された映像投影面ＶＳＰにおける表示領域ＶＤＡに対応する領域ＶＤＡａの中央部ＣＶＤＡ（図３及び図４のセクション（Ａ））を、視聴者が注視状態であるときの表示領域ＶＤＡにおける視点に対応する映像投影面ＶＳＰ上の点（以降、注視点）であるとしてもよい。そして、表示制御部２３は、ステップＳ１９（図５）において、当該注視点が映像投影面ＶＳＰにおける所定の拡大可能領域ＥＰＡ１〜ＥＰＡ３（図６）内に存在しない場合は、注視映像ＦＤを拡大表示せず、ステップＳ２０以降の処理を行うようにしてもよい。
【００９２】
同様に、前記変形実施形態（１）では、表示制御部２３は、状態判定部２４が注視状態であると判定したときに視点検出部９２によって検出された前記注視視点に対応する映像投影面ＶＳＰ上の点を前記注視点としてもよい。そして、表示制御部２３は、ステップＳ１９（図５）において、当該注視点が、映像投影面ＶＳＰにおける所定の拡大可能領域ＥＰＡ１〜ＥＰＡ３（図６）内に存在しない場合は、注視映像ＦＤを拡大表示せず、ステップＳ２０以降の処理を行うようにしてもよい。
【００９３】
これらの構成によれば、状態判定部２４によって視聴者が注視状態であると判定された場合に、視聴者が注視状態であるときの表示領域ＶＤＡにおける視点に対応する映像投影面ＶＳＰ上の注視点が、映像投影面ＶＳＰにおける拡大可能領域ＥＰＡ１〜ＥＰＡ３内に存在しないときは、注視映像ＦＤを拡大表示することを回避することができる。
【００９４】
また、これらに合わせて、表示制御部２３は、ステップＳ１９（図５）において、図６に示すように、注視映像ＦＤ又は前記注視点が映像投影面ＶＳＰにおける第一の拡大可能領域ＥＰＡ１内に投影された映像である場合、注視映像ＦＤを第一の拡大率で拡大表示するようにしてもよい。同様に、表示制御部２３は、ステップＳ１９（図５）において、注視映像ＦＤ又は前記注視点が映像投影面ＶＳＰにおける第一の拡大可能領域ＥＰＡ１と重複しない第二の拡大可能領域ＥＰＡ２内に投影された映像である場合、注視映像ＦＤを第二の拡大率で拡大表示するようにしてもよい。また、表示制御部２３は、ステップＳ１９（図５）において、注視映像ＦＤ又は前記注視点が映像投影面ＶＳＰにおける第一の拡大可能領域ＥＰＡ１及び第二の拡大可能領域ＥＰＡ２と重複しない第三の拡大可能領域ＥＰＡ３内に投影された映像である場合、注視映像ＦＤを第三の拡大率で拡大表示するようにしてもよい。
【００９５】
本構成によれば、状態判定部２４によって視聴者が注視状態であると判定された場合に、映像投影面ＶＳＰにおける注視映像ＦＤ又は前記注視点の位置に応じた拡大率で、注視映像ＦＤを拡大表示することができる。
【００９６】
具体的には、映像投影面ＶＳＰにおける各拡大可能領域ＥＰＡ１〜ＥＰＡ３を特定するための領域特定情報を、配信サーバ１から配信されるＶＲ映像に関連する配信情報に含めればよい。例えば、拡大可能領域が多角形の場合、領域特定情報は、映像投影面ＶＳＰにおける当該拡大可能領域の各頂点の位置の座標を示す情報とすればよい。又は、例えば、拡大可能領域が円形の場合、領域特定情報は、映像投影面ＶＳＰにおける当該拡大可能領域の中心の位置を示す座標と、半径と、を示す情報とすればよい。
【００９７】
また、各拡大可能領域ＥＰＡ１〜ＥＰＡ３内に注視映像ＦＤ又は前記注視点が含まれている場合に注視映像ＦＤを拡大表示するときに用いる各拡大率（第一乃至第三の拡大率）を示す拡大率情報を、配信サーバ１から配信されるＶＲ映像に関連する配信情報に含めればよい。
【００９８】
そして、表示制御部２３が、ステップＳ１９（図５）において、ステップＳ１１で取得した配信情報から、領域特定情報及び拡大率情報を取得するように構成すればよい。そして、表示制御部２３が、当該取得した領域特定情報が示す各拡大可能領域ＥＰＡ１〜ＥＰＡ３と、当該取得した拡大率情報が示す各拡大率（第一乃至第三の拡大率）と、を用いるように構成すればよい。
【００９９】
これらの場合、配信サーバ１から当該ＶＲ映像とともに配信された領域特定情報によって特定される拡大可能領域内に注視映像ＦＤ又は前記注視点が含まれる場合に注視映像ＦＤが拡大表示される。一方、当該拡大可能領域内に注視映像ＦＤ又は前記注視点が含まれない場合、注視映像ＦＤは拡大表示されない。したがって、注視映像ＦＤを拡大表示させるか否かを、配信サーバ１から配信されるＶＲ映像の内容に応じて個別に判定することができる。また、配信サーバ１から当該ＶＲ映像とともに配信された拡大率情報が示す拡大率で注視映像ＦＤが拡大表示される。したがって、配信サーバ１から配信されるＶＲ映像の内容に応じた拡大率で注視映像ＦＤを拡大表示することができる。
【０１００】
尚、領域特定情報及び拡大率情報のうちの少なくとも一方の情報を表示装置２が備えるＲＡＭやＲＯＭ等に予め記憶するようにし、表示制御部２３が、ステップＳ１９（図５）において、当該少なくとも一方の情報をＲＡＭやＲＯＭ等から取得するようにしてもよい。
【０１０１】
（３）表示装置２が、設定部２５として機能しないようにし、ステップＳ１８（図５）を省略してもよい。
【０１０２】
（４）配信サーバ１と表示装置２とが前記ネットワークを介して通信しないようにしてもよい。これに合わせて、配信部１２を、エンコーダーとＤＶＤやＢＤ（ブルーレイディスク）等の記録媒体にデータ及び情報を記録する記録装置とによって構成し、配信部１２が、ステップＳ１０（図５）において、ＶＲ映像及び配信情報を記録媒体に記録するようにしてもよい。そして、ＶＲ映像の提供者が、当該記録媒体を郵送等で表示装置２を所有する視聴者に提供するようにしてもよい。これにより、ＶＲ映像及び配信情報が記録媒体によって配信されるようにしてもよい。
【０１０３】
この場合、取得部２２は、前記マイクロコンピューターとＤＶＤやＢＤ（ブルーレイディスク）等の記録媒体からデータ及び情報を取得する取得装置とによって構成すればよい。そして、当該取得部２２が、ステップＳ１１及びステップＳ１２（図５）において、前記提供者から提供された記録媒体から、ＶＲ映像及び配信情報を取得するように構成すればよい。
【０１０４】
（５）表示装置２に記憶部１１と同様の記憶部を備えるようにしてもよい。この場合、ステップＳ１０（図５）を省略し、取得部２２が、ステップＳ１１及びステップＳ１２（図５）において、当該記憶部からＶＲ映像及び配信情報を、配信部１２を介さずに取得するようにしてもよい。
【符号の説明】
【０１０５】
１        ：配信サーバ
１１      ：記憶部
１２      ：配信部
１００    ：拡大表示システム
２        ：表示装置
２１      ：表示部
２２      ：取得部
２３      ：表示制御部
２４      ：状態判定部
２５      ：設定部
９１      ：姿勢検出部
９２      ：視点検出部
ＣＶＤＡ  ：ＶＲ映像が投影された映像投影面における表示領域に対応する領域の中央部
ＥＦＡ    ：移動後の仮想カメラによって撮影可能な映像投影面上の領域
ＥＦＤ    ：注視映像を拡大表示した映像
ＥＰＡ１〜ＥＰＡ３：拡大可能領域
ＦＡ      ：注視領域
ＦＤ      ：注視映像
ＳＢ１〜ＳＢ３：被写体
ＳＶＰ    ：撮影視点
ＶＣ      ：仮想カメラ
ＶＤＡ    ：表示領域
ＶＳＰ    ：映像投影面
ｔ        ：経過時間
【図１】
2020127133.tif 000003
【図２】
2020127133.tif 000004
【図３】
2020127133.tif 000005
【図４】
2020127133.tif 000006
【図５】
2020127133.tif 000007
【図６】
2020127133.tif 000008
【図７】
2020127133.tif 000009
【図８】
2020127133.tif 000010